【事件の表示】
　特許第３３４５０７３号「パチンコ機」の請求項１ないし４に係る特許に対する特許異議の申立てについて、次のとおり決定する。
【結　論】
　訂正を認める。
　特許第３３４５０７３号の請求項１、３に係る特許を取り消す。
　同請求項２に係る特許を維持する。
【理　由】
１．手続の経緯
　本件特許第３３４５０７３号の請求項１乃至４に係る発明についての出願は、平成５年１月１３日に特許出願したものであり、平成１４年８月３０日にその発明について特許の設定登録がなされ、その後、上田実及び丸本功彦よりそれぞれ特許異議の申立てがなされ、平成１５年１２月２４日付けで取消理由通知がなされ、その指定期間内である平成１６年３月５日付けで意見書とともに訂正請求書が提出されたものである。
　
２．訂正の適否についての判断
２−１．訂正の内容
（１） 訂正事項ａ
　特許明細書の特許請求の範囲の【請求項１】に記載された「遊技盤の中央と左右両側部に３つの図柄表示体が設けられると共に、その図柄表示体の下方に位置して大入賞口が設けられ、前記図柄表示体の図柄の組合せが当たり図柄となることを条件に前記大入賞口を開放するパチンコ機であって、前記３つの図柄表示体の間には、作用部材によってパチンコ球の転動方向を変化させてそのパチンコ球を前記大入賞口に向けて誘導案内する左右一対の球誘導通路がそれぞれ設けられていることを特徴とするパチンコ機。」を、
「遊技盤の中央と左右両側部に３つの図柄表示体が設けられると共に、その図柄表示体の下方に位置して大入賞口が設けられ、前記図柄表示体の図柄の組合せが当たり図柄となることを条件に前記大入賞口を開放するパチンコ機であって、左通路壁、中通路壁及び右通路壁と仕切り板が一体に形成されている作用部材を備え、前記作用部材は、前記左通路壁、中通路壁及び右通路壁が遊技盤面側に、前記仕切り板が前記遊技盤面を覆うガラス板側に配置されるように前記遊技盤に設置され、前記左通路壁、中通路壁及び右通路壁によって、前記３つの図柄表示体の間に、パチンコ球の転動方向を変化させてそのパチンコ球を前記大入賞口に向けて誘導案内する左右一対の球誘導通路がそれぞれ設けられていることを特徴とするパチンコ機。」と訂正する。
　なお、訂正明細書の請求項１には「前記犬入賞口」と記載されているが、「前記」されている語句は「大入賞口」であるから、「前記犬入賞口」は「前記大入賞口」の誤記と認め、上記のように認定した。
（２） 訂正事項ｂ
　特許明細書の特許請求の範囲の【請求項２】に記載された「請求項１に記載のパチンコ機であって、左右一対の球誘導通路の内壁面には、パチンコ球の転動方向を変化させる変向部が形成されていることを特徴とするパチンコ機。」を、
「請求項１に記載のパチンコ機であって、左右一対の球誘導通路の内壁面を形成する、前記左通路壁、中通路壁及び右通路壁の外壁面の内端下部には、パチンコ球の転動方向を変化させる変向部が形成されていることを特徴とするパチンコ機。」と訂正する。
（３） 訂正事項ｃ
　特許明細書の特許請求の範囲の【請求項３】を削除する。
（４） 訂正事項ｄ　
　特許明細書の特許請求の範囲の【請求項４】を【請求項３】にするとともに、特許明細書の特許請求の範囲の【請求項４】に記載された「請求項１〜３のいずれか一項に記載のパチンコ機であって、左右一対の球誘導通路の入口近傍と出口近傍との少なくとも一方には、風車が配置されていることを特徴とするパチンコ機。」を、
「請求項１または２に記載のパチンコ機であって、左右一対の球誘導通路の入口近傍と出口近傍との少なくとも一方には、風車が配置されていることを特徴とするパチンコ機。」と訂正する。
（５） 訂正事項ｅ
　特許明細書の発明の詳細な説明の段落番号【０００４】の「前記３つの図柄表示体の間には、作用部材によってパチンコ球の転動方向を変化させてそのパチンコ球を前記大入賞口に向けて誘導案内する左右一対の球誘導通路がそれぞれ設けられている。」という記載を、「左通路壁、中通路壁及び右通路壁と仕切り板が一体に形成されている作用部材を備え、前記作用部材は、前記左通路壁、中通路壁及び右通路壁が遊技盤面側に、前記仕切り板が前記遊技盤面を覆うガラス板側に配置されるように前記遊技盤に設置され、前記左通路壁、中通路壁及び右通路壁によって、前記３つの図柄表示体の間に、パチンコ球の転動方向を変化させてそのパチンコ球を前記犬入賞口に向けて誘導案内する左右一対の球誘導通路がそれぞれ設けられている」と訂正する。
（６） 訂正事項ｆ
　特許明細書の発明の詳細な説明の段落番号【０００４】の「左右一対の球誘導通路の内壁面には、」という記載を、「左右一対の球誘導通路の内壁面を形成する、前記左通路壁、中通路壁及び右通路壁の外壁面の内端下部には、」と訂正する。
（７） 訂正事項ｇ
　特許明細書の発明の詳細な説明の段落番号【０００４】の「請求項３に係るパチンコ機は、請求項１又は２に記載のパチンコ機であって、中央と左右両側部の３つの図柄表示体は単一のベース板にそれぞれ設けられ、前記３つの図柄表示体は前記ベース体を介して遊技盤に取り付けられている。」という記載を削除する。
（８） 訂正事項ｈ
　特許明細書の発明の詳細な説明の段落番号【０００４】の「請求項４に係るパチンコ機は、請求項１〜３のいずれか一項に記載のパチンコ機であって、」という記載を、「請求項３に係るパチンコ機は、請求項１または２に記載のパチンコ機であって、」と訂正する。
（９） 訂正事項ｉ
　特許明細書の発明の詳細な説明の段落番号【０００５】の「一部のパチンコ球は３つの図柄表示体の間において作用部材によって設けられた左右一対の球誘導通路に流れる。」という記載を、「一部のパチンコ球は、３つの図柄表示体の間において、作用部材に形成されている左通路壁、中通路壁及び右通路壁によって設けられた左右一対の球誘導通路に流れる。」と訂正する。
（１０）訂正事項ｊ
　特許明細書の発明の詳細な説明の段落番号【０００５】の「球誘導通路の内壁面の変向部に当たることによって、その転動方向が変化する。」という記載を、「左右一対の球誘導通路の内壁面を形成する、左通路壁、中通路壁及び右通路壁の外壁面の内端下部に形成されている変向部に当たることによって、その転動方向が変化する。」と訂正する。
（１１）訂正事項ｋ
　特許明細書の発明の詳細な説明の段落番号【０００５】の「また、請求項３に係るパチンコ機において、３つの図柄表示体を単一のベース板にそれぞれ設けてユニット化することができ、遊技盤に３つの図柄表示体をそれぞれ個別に取り付ける煩わしさがなく、取付性の向上を図ることができる。」という記載を削除する。
（１２）訂正事項ｌ
　特許明細書の発明の詳細な説明の段落番号【０００５】の「また、請求項４に係るパチンコ機において、」という記載を、「また、請求項３に係るパチンコ機において、」と訂正する。
　
２−２．訂正の目的の適否、新規事項の有無及び拡張・変更の存否
（１）訂正事項ａ
　上記訂正事項ａは、請求項１において、左右一対の球誘導通路を「左通路壁、中通路壁及び右通路壁と仕切り板が一体に形成されている作用部材を備え、前記作用部材は、前記左通路壁、中通路壁及び右通路壁が遊技盤面側に、前記仕切り板が前記遊技盤面を覆うガラス板側に配置されるように前記遊技盤に設置され、前記左通路壁、中通路壁及び右通路壁によって、前記３つの図柄表示体の間に、パチンコ球の転動方向を変化させてそのパチンコ球を前記大入賞口に向けて誘導案内する」ものに限定するものであり、本件特許の明細書の段落番号【００１６】、【００１７】、【００２８】、【００３９】及び図２乃至７等に記載されていた事項に基づくものであるから、上記訂正事項ａは、特許請求の範囲の減縮を目的とした明細書の訂正に該当し、新規事項の追加に該当せず、実質上特許請求の範囲を拡張し、又は変更するものではない。
（２）訂正事項ｂ
　上記訂正事項ｂは、変向部の形成されている箇所を「左右一対の球誘導通路の内壁面を形成する、前記左通路壁、中通路壁及び右通路壁の外壁面の内端下部」と限定するものであり、本件特許の明細書の段落番号【００１６】乃至【００２１】及び図２乃至７等に記載されていた事項に基づくものであるから、上記訂正事項ｂは、特許請求の範囲の減縮を目的とした明細書の訂正に該当し、新規事項の追加に該当せず、実質上特許請求の範囲を拡張し、又は変更するものではない。
（３）訂正事項ｃ
　上記訂正事項ｃは、特許明細書の特許請求の範囲の請求項３を削除するもので、特許請求の範囲の減縮に相当し、新規事項の追加に該当せず、実質上特許請求の範囲を拡張し、又は変更するものではない。
（４）訂正事項ｄ
　上記訂正事項ｄは、訂正事項ｃによって特許明細書の請求項３を削除したことにともなって、請求項４を請求項３とするとともに、請求項３を引用する記載を削除したもので、明りょうでない記載の釈明に相当する。また、訂正事項ｄは、新規事項の追加に該当せず、実質上特許請求の範囲を拡張し、又は変更するものではない。
（５）訂正事項ｅ乃至ｌ
　上記訂正事項ｅ乃至ｌは、上記訂正事項ａ乃至ｄと整合を図るものであるから、明りょうでない記載の釈明を目的とした明細書の訂正に該当し、新規事項の追加に該当せず、実質上特許請求の範囲を拡張し、又は変更するものではない。
　
２−３．むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立ての概要
（１）申立人上田実は、下記の甲第１乃至７号証を提出し、甲第１号証より、特許法第２９条の２の規定に違反してなされたものであるから取り消す旨、
　甲第１号証：特開平５−２３７２２９号公報（ａ）
　甲第２号証：特開平１−９９５８２公報（ｂ）
　甲第３号証：特開昭６３−２５７５８８号公報（ｃ）
　甲第４号証：実願昭６３−１０４１６９号（実開平２−２５２８３号）のマイクロフィルム（ｄ）
　甲第５号証：特開昭６３−２５７５８６公報（ｅ）
　甲第６号証：特開平１−２４４７７７号公報（ｆ）
　甲第７号証：特開平３−２９６７７号公報（ｇ）
（２）申立人丸本功彦は、下記の甲第１号証を提出し、甲第１号証より、特許法第２９条の２の規定に違反してなされたものであるから取り消す旨、それぞれ、主張している。
　甲第１号証：特開平５−２３７２２９号公報（ｈ）
　
４．本件発明
　本件の請求項１乃至３に係る発明（以下、それぞれ「本件発明１」乃至「本件発明３」という。）は、上記訂正に係る訂正明細書の特許請求の範囲の請求項１乃至３に記載された事項により特定されるとおりのものである。（上記２−１．の（１）訂正事項ａ〜（４）訂正事項ｄ参照）
　
５．本件発明１について
５−１．特許法第２９条の２違反について
　当審は、平成１５年１２月２４日付けで通知した取消理由通知で、本件発明の特許は、下記の先願に記載された発明と同一であるから、特許法第２９条の２の規定に違反してされたものである旨通知した。
　
　先願：特願平４−７９１２５号（特開平５−２３７２２９号公報参照）
　
（１） 先願に記載された発明
　先願には、弾球遊技機に関し、次の事項が記載されている。
「従来、その複数個の可変表示部材を１つの取付基板に集約して設けられて遊技盤の表面に取り付けられるようになっていた。」（第１欄第２２−２５行）
「まず、図２を参照して、実施例に係る弾球遊技機の一例としてのパチンコ遊技機１の正面構成について説明する。」（第２欄第８−１０行）
「遊技領域１４のほぼ中央には、独立した取付基板４１によってそれぞれ遊技盤１２の表面に直接取り付けられる複数（３つ）の可変表示部材４０ａ〜４０ｃによって構成される可変表示装置４０が設けられている。
【０００８】可変表示装置４０を構成する可変表示部材４０ａ〜４０ｃは、複数種類の識別情報（図柄ともいう）を表示することが可能なドットマトリックスＬＥＤで構成され、後述する始動入賞口１５ａ〜１５ｃに打玉が入賞したことに基づいて可変表示し、その表示結果が予め定めた特定図柄の組合せとなったときに、特定遊技状態となって、後述する可変入賞球装置１７の開閉板２０を所定の態様で開放駆動する。」（第２欄第３３−４５行）
「上記始動入賞口１５ａ〜１５ｃの下方には、可変入賞球装置１７が配置されている。この可変入賞球装置１７は、取付基板１８に集約して形成されている。しかして、取付基板１８のほぼ中央に長方形状の開口を横置きにした入賞領域１９が形成され、該入賞領域１９の前面をソレノイド２１によって開閉制御される開閉板２０が閉塞している。」（第３欄第１８−２４行）
「また、遊技領域１４の上部には、内部にランプを内蔵する風車ランプ３１ａ〜３１ｄが横方向に複数配置され、更に、遊技領域１４の中央左右にサイドランプ３０ａ，３０ｂが配置されている。これらの袖ランプ２９ａ，２９ｂ、風車ランプ３１ａ〜３１ｄ、及びサイドランプ３０ａ，３０ｂは、始動入賞時あるいは特定遊技状態時に点灯あるいは点滅してその旨を遊技者に報知するものである。更に、遊技領域１４には、落下する打玉の流下速度や方向を変化せしめる風車３２ａ〜３２ｄや多数の障害釘（符号なし）が設けられると共に、遊技領域１４の最下方には、上記したいずれの入賞領域にも入賞しなかった打玉を遊技盤１２の後方に回収するアウト口３３が設けられている。
【００１３】ここで、可変表示装置４０を構成する可変表示部材４０ａ〜４０ｃの詳細な構造について図４を参照して説明する。本実施例における可変表示部材４０ａ〜４０ｃは、すべて同じ構造をしているので、図４においては、中央の可変表示部材４０ｂだけを示している。したがって、以下の説明においては、中央の可変表示部材４０ｂの構成について説明することになるが、左右の可変表示部材４０ａ，４０ｃも全く同じ構成要素を有するので、それらに対応する構成要素についても符号を明示する。
【００１４】可変表示部材４０ａ〜４０ｃは、遊技盤１２の表面に取り付けられる取付基板４１ａ〜４１ｂを有している。取付基板４１ａ〜４１ｃの中央には、長方形状の表示窓４３ａ〜４３ｃが開設され、該表示窓４３ａ〜４３ｃに識別情報（図柄）を可変表示するドットマトリックスＬＥＤ４４ａ〜４４ｃが臨んでいる。ただし、ドットマトリックスＬＥＤ４４ａ〜４４ｃの前面には、ドットマトリックスＬＥＤ４４ａ〜４４ｃで表示される識別情報を拡大表示する透視レンズ４５ａ〜４５ｃが設けられている。また、取付基板４１ａ〜４１ｃの上部には、打玉が直接透視レンズ４５ａ〜４５ｃに衝突するのを少なくするために障害突起４２ａ〜４２ｃが突設されている。更に、取付基板４１ａ〜４１ｃの下方部には、前述した始動入賞記憶表示ＬＥＤ４６ａ〜４６ｃが設けられると共に、前記障害突起４２ａ〜４２ｃの内部及び表示窓４３ａ〜４３ｃの左右に装飾用の飾りＬＥＤ４７ａ〜４７ｃが設けられている。」（第４欄第１１−５０行）
「なお、上記した２つの実施例においては、１つの取付基板に１つの可変表示部材を設けたものを示したが、例えば、可変表示装置を構成する可変表示部材が奇数個ある場合に、奇数の可変表示部材を備えた取付基板と偶数の可変表示部材を備えた取付基板とに分割しても良い。」（第７欄第２６−３１行）
　また、上記摘示箇所の記載、及び、図１及び図４の記載より、障害突起４２ａ〜４２ｃが設けられた３つの可変表示部材４０ａ〜４０ｃの間には、打玉が落下可能な領域が存在し、障害突起４２ａ〜４２ｃは前記領域に面する側端部を有し、且つ、前記領域の下方には、入賞領域１９が位置しているものと認められる。
　
　上記記載事項によると、先願明細書には
「遊技盤１２の中央と左右両側部に３つの可変表示部材４０ａ〜４０ｃが設けられると共に、その可変表示部材４０ａ〜４０ｃの下方に位置して入賞領域１９が設けられ、前記可変表示部材４０ａ〜４０ｃの図柄の組合せが特定図柄となることを条件に前記入賞領域１９を開放するパチンコ遊技機であって、
　障害突起４２ａ〜４２ｃが一体に形成されている取付基板４１ａ〜４１ｃを備え、
　前記取付基板４１ａ〜４１ｃは、可変表示部材４０ａ〜４０ｃを遊技盤１２の表面に取り付け、取付基板４１ａ〜４１ｃの上部には、障害突起４２ａ〜４２ｃを突設し、
　前記障害突起４２ａ〜４２ｃによって、前記３つの可変表示部材４０ａ〜４０ｃの間に、打玉の転動方向を変化させてその打玉を前記入賞領域１９に向けて誘導案内する左右一対の打玉落下領域がそれぞれ設けられているパチンコ遊技機。」の発明（以下、「先願発明１」という。）が記載されていると認められる。
　
（２）対比・判断
　本件発明１と先願発明１とを比較すると、
　先願発明１の「可変表示部材」「打玉」「入賞領域」「障害突起４２ａ〜４２ｃ」「パチンコ遊技機」は、それぞれ本件発明１の「図柄表示体」「パチンコ球」「大入賞口」「左通路壁、中通路壁及び右通路壁」「パチンコ機」に相当すると認められる。
　また、先願発明１の「特定図柄」は、特定図柄となることにより大入賞口が開放するのであるから、本件発明１の「当たり図柄」に相当する。
　また、先願発明１の「障害突起４２ａ〜４２ｃによって、３つの可変表示部材４０ａ〜４０ｃの間に、打玉の転動方向を変化させてその打玉を入賞領域１９に向けて誘導案内する左右一対の打玉落下領域がそれぞれ設けられている」ことは、入賞領域１９が、可変表示部材４０ａ〜４０ｃの間の打玉落下領域の下方に位置し、前記打玉落下領域を通過した打玉が入賞領域に到達し得ることは自明であるから、本件発明１の「左通路壁、中通路壁及び右通路壁によって、３つの図柄表示体の間に、パチンコ球の転動方向を変化させてそのパチンコ球を大入賞口に向けて誘導案内する左右一対の球誘導通路がそれぞれ設けられている」ことに相当するものと認められる。
　先願発明１の「障害突起４２ａ〜４２ｃが一体に形成されている取付基板４１ａ〜４１ｃを備え、前記取付基板４１ａ〜４１ｃは、可変表示部材４０ａ〜４０ｃを遊技盤１２の表面に取り付け、取付基板４１ａ〜４１ｃの上部には、障害突起４２ａ〜４２ｃを突設し」ていることと、本件発明１の「左通路壁、中通路壁及び右通路壁と仕切り板が一体に形成されている作用部材を備え、前記作用部材は、前記左通路壁、中通路壁及び右通路壁が遊技盤面側に、前記仕切り板が前記遊技盤面を覆うガラス板側に配置されるように前記遊技盤に設置され」ていることとは、「左通路壁、中通路壁及び右通路壁と一体に形成されている作用部材を備え、前記作用部材は、前記左通路壁、中通路壁及び右通路壁が遊技盤面側に配置されるように前記遊技盤に設置され」ていることで共通する。
　そうすると、本件発明１と先願発明１の両者は、「遊技盤の中央と左右両側部に３つの図柄表示体が設けられると共に、その図柄表示体の下方に位置して大入賞口が設けられ、前記図柄表示体の図柄の組合せが当たり図柄となることを条件に前記大入賞口を開放するパチンコ機であって、左通路壁、中通路壁及び右通路壁と一体に形成されている作用部材を備え、前記作用部材は、前記左通路壁、中通路壁及び右通路壁が遊技盤面側に配置されるように前記遊技盤に設置され、前記左通路壁、中通路壁及び右通路壁によって、前記３つの図柄表示体の間に、パチンコ球の転動方向を変化させてそのパチンコ球を前記大入賞口に向けて誘導案内する左右一対の球誘導通路がそれぞれ設けられているパチンコ機」である点で一致し、以下の点で一応構成が相違する。
　
・ 相違点
　作用部材が、本件発明１では、左通路壁、中通路壁及び右通路壁と仕切り板が一体に形成され、前記左通路壁、中通路壁及び右通路壁が遊技盤面側に、前記仕切り板が前記遊技盤面を覆うガラス板側に配置されるように前記遊技盤に設置されているのに対し、先願発明１では、各可変表示部材に対応して別個に設けられ、それぞれに障害突起４２ａ〜４２ｃが突設されている点。
　
　上記相違点について検討する。
　パチンコ球が誘導されて通過する箇所のガラス板側に仕切板を設けることは、特開昭５８−５８０７６号公報や特開平２−１０４３８２号公報等に記載されているように周知技術であり、先願発明１における障害突起４２ａ〜４２ｃ間の打玉落下領域のガラス側に仕切板を設けることは単なる周知技術の付加にすぎず、その際に、障害突起４２ａ〜４２ｃと仕切板とを一体に形成することは、当該周知技術の付加により派生した単なる設計的事項にすぎない。
　してみると、本件発明１と先願発明１との相違は、発明の具体化手段における設計上の微差というべきである。
　
　以上のとおりであるから、本件発明１は、先願明細書に記載された発明と同一であり、しかも、本件発明１の発明者が上記先願明細書に記載された発明の発明者と同一であるとも、また、本件の出願時に、その出願人が上記先願の出願人と同一であるとも認められないので、本件発明１の特許は、特許法第２９条の２第１項の規定に違反してされたものである。
　
５−２．特許法第２９条第２項違反について
　当審は、平成１５年１２月２４日付けで通知した取消理由通知で、本件発明の特許は、下記の刊行物１乃至８に記載された発明に基づいて当業者が容易に発明をすることができたものであるから、特許法第２９条第２項の規定に違反してされたものである旨通知した。
　
　刊行物１：実願昭６１−９２８７１号（実開昭６２−２０２８８４号）のマイクロフィルム
　刊行物２：特開平４−３５４９６２号公報
　刊行物３：特開平１−９９５８２公報（上記３．（１）の（ｂ））
　刊行物４：特開昭６３−２５７５８８号公報（上記３．（１）の（ｃ））
　刊行物５：実願昭６３−１０４１６９号（実開平２−２５２８３号）のマイクロフィルム（上記３．（１）の（ｄ））
　刊行物６：特開昭６３−２５７５８６公報（上記３．（１）の（ｅ））
　刊行物７：特開平１−２４４７７７号公報（上記３．（１）の（ｆ））
　刊行物８：特開平３−２９６７７号公報（上記３．（１）の（ｇ））
　
（１）引用刊行物に記載された発明
　上記刊行物１には、以下の事項が記載されている。
「遊技盤上に、予め定められた図柄の組合わせが得られた場合に作動する大入賞口に係る電動役物を備えたぱちんこ遊技機に於いて、上記電動役物を上記遊技盤上に複数Ｎ個配設せしめると共に、上記大入賞口は上記Ｎ個以下１個以上の数となし、該大入賞口は上記複数Ｎ個の電動役物と一対一に対応して作動するか、あるいは１個の大入賞口を複数個の電動役物によって作動せしめるかの構成としたことを特徴とするぱちんこ遊技機。」（実用新案登録請求の範囲）
「第１図は電動役物を２個、大入賞口を１個設けた場合の正面説明図であり、（１），（１’）はぱちんこ遊技盤（２）上中央に並設される電動役物であり、同電動役物（１），（１’）には、左、中、右の順で図柄…が表示される表示部（３），（３’）が設けられ、又上記電動役物（１），（１’）の下方部には大入賞口（４）が設けられると共に、……」（第３頁第１８行−第４頁第５行）
「そして上記表示部（３），（３’）に表示される図柄…左，中，右の順で同数に並ぶと………上記大入賞口（４）を一定時間開口させ、遊技球を次々と入賞させ易くするものである。」（第５頁第５〜９行）
　また、上記摘示の記載、及び、第１図の記載からみて、表示部を備えた２つの電動役物１，１’の間に遊技球が通過可能なスペースが存在し、該スペースの上方には風車が設けられているものと認められる。
　上記記載事項によれば、刊行物１には、「遊技盤２の横方向に複数の表示部３，３’が設けられると共に、その表示部３，３’の下方に位置して大入賞口が設けられ、前記表示部３，３’に表示される図柄が同数で並ぶと大入賞口４を一定時間開口させるぱちんこ遊技機であって、前記表示部３，３’は電動役物１，１’に備えられ、該電動役物１，１’の間に遊技球が通過可能で、且つ、下方に大入賞口が位置しているスペースを設け、該スペースの上方には風車が設けられているぱちんこ遊技機」の発明が記載されているものと認められる。
　
（２）対比及び判断
　本件発明１と、刊行物１に記載の発明とを比較すると、刊行物１に記載の発明の「遊技盤２」「大入賞口」「ぱちんこ遊技機」が、それぞれ本件発明１の「遊技盤」「大入賞口」「パチンコ機」に相当する。
　また、刊行物１に記載の発明の「表示部３，３’に表示される図柄が同数で並ぶと大入賞口４を一定時間開口させる」ことは、本件発明１の「図柄表示体の図柄の組合せが当たり図柄となることを条件に前記大入賞口を開放する」ことに相当する。
　また、刊行物１に記載の発明の「遊技盤２の横方向に複数の表示部３，３’が設けられる」ことと、本件発明１の「遊技盤の中央と左右両側部に３つの図柄表示体が設けられる」こととは、「遊技盤の横方向に複数の図柄表示体が設けられる」ことで共通する。
　また、刊行物に記載の発明の「電動役物１，１’の間に遊技球が通過可能で、且つ、下方に大入賞口が位置しているスペースを設け」ることと、本件発明１の「３つの図柄表示体の間に、パチンコ球の転動方向を変化させてそのパチンコ球を前記大入賞口に向けて誘導案内する左右一対の球誘導通路がそれぞれ設けられている」こととは、「複数の図柄表示体の間に、パチンコ球が通過可能で、且つ、下方に大入賞口が位置するスペースを設け」ていることで共通する。
　そうすると、本件発明１と刊行物１に記載の発明の両者は、「遊技盤の横方向に複数の図柄表示体が設けられると共に、その図柄表示体の下方に位置して大入賞口が設けられ、前記図柄表示体の図柄の組合せが当たり図柄となることを条件に前記大入賞口を開放するパチンコ機であって、複数の図柄表示体の間に、パチンコ球が通過可能で、且つ、下方に大入賞口が位置するスペースを設けたパチンコ機」である点で一致し、以下の点で構成が相違する。
　
・ 相違点１
　図柄表示体が、本件発明１では横方向に３つであるのに対し、刊行物１に記載の発明では横方向に２つである点。
・ 相違点２
　本件発明１は、左通路壁、中通路壁及び右通路壁と仕切り板が一体に形成されている作用部材を備え、前記作用部材は、前記左通路壁、中通路壁及び右通路壁が遊技盤面側に、前記仕切り板が前記遊技盤面を覆うガラス板側に配置されるように遊技盤に設置され、前記左通路壁、中通路壁及び右通路壁によって、３つの図柄表示体の間に、パチンコ球の転動方向を変化させてそのパチンコ球を前記大入賞口に向けて誘導案内する左右一対の球誘導通路がそれぞれ設けられているのに対し、刊行物１の記載の発明は、仕切板を備えておらず、また、表示体３，３’を備えた電動役物１，１’が、パチンコ球を誘導する通路を形成する通路壁を備えている否か不明である点。
　
　上記相違点について検討する。
i.　相違点１について
　刊行物１には、表示部を備えた電動役物をＮ個設けることが記載されており、電動役物が２個以外の態様をも示唆するものであるから、刊行物２に可変表示ゲーム機２２，３２，４２（本件発明１の「図柄表示体」に相当）を３個設けることが記載されていることを考慮すれば、当該相違点に係る本件発明１の構成とすることは、当業者にとって格別困難なことではない。
ii. 相違点２について
　刊行物１には、電動役物１，１’に側壁を設けていることは明記されていないが、電動役物１，１’は、上方先細り形状であること、また、その上端部近傍に釘が配置されていることが記載されており、同様な態様の役物であれば、上端部に入賞口（所謂「天入賞口」）を有することは周知技術（必要であれば、特開平２−１０４３８２号公報、特開平４−３４７１８８号公報、特開平４−２００５７７号公報、特開昭５７−５８０７６号公報等を参照）である。そして、そもそも「（電動）役物」というものが、パチンコ球を受け入れる入賞口を有するものであることが当業者にとって常識であることを併せて考慮しても、刊行物１の電動役物１，１’が、遊技盤面から少なくともパチンコ球の径以上の寸法で突出していることは自明である。
　とすると、刊行物１の電動役物１，１’が側壁を有し、当該側壁がパチンコ球の転動方向を変化させてそのパチンコ球を大入賞口に向けて誘導案内する構成とすることは、当業者にとって格別困難なことではない。
　また、パチンコ球が誘導されて通過する箇所のガラス板側に仕切板を設けることは、特開昭５８−５８０７６号公報や特開平２−１０４３８２号公報等に記載されているように周知技術であり、刊行物１に記載の発明における電動役物１，１’間のパチンコ球が通過するスペースのガラス側に仕切板を設けることは、単に周知技術を付加したものにすぎず、その際に、電動役物の側壁と仕切板とを一体に形成することは、当該周知技術の付加により派生した単なる設計的事項にすぎない。
　
　そして、本件発明１の上記相違点１，２に係る構成に基づく作用効果は、当業者が刊行物１，２に記載された発明及び周知技術から予測し得る範囲内のものにすぎない。
　したがって、本件発明１は、刊行物１，２に記載された発明及び周知技術に基づいて当業者が容易に発明をすることができたものであるので、本件発明１の特許は、特許法第２９条第２項の規定に違反してされたものである。
　
６．本件発明２について
　特許異議申立人上田実、丸本功彦が提出した証拠（ａ），（ｈ）（取消理由通知における特許法第２９条の２違反の根拠として引用）には、本件発明２が具備する「左右一対の球誘導通路の内壁面を形成する、左通路壁、中通路壁及び右通路壁の外壁面の内端下部には、パチンコ球の転動方向を変化させる変向部が形成されていること」については、記載も示唆もされておらず、記載されていたに等しい事項である根拠も見当たらない。
　してみると、本件発明２は、先願に記載された発明ではない。
　また、当審で通知した取り消しの理由で、特許法第２９条第２項違反の根拠として引用した刊行物１乃至８（上記５−２．参照）のいずれにも、本件発明２が具備する「左右一対の球誘導通路の内壁面を形成する、左通路壁、中通路壁及び右通路壁の外壁面の内端下部には、パチンコ球の転動方向を変化させる変向部が形成されていること」については、記載も示唆もされていない。
　そして、パチンコ球の転動方向を変化させる変向部自体を形成することが、刊行物３乃至５等に記載されているように、本件特許の出願前に周知技術であったとしても、「左通路壁、中通路壁及び右通路壁の外壁面の内端下部」は、大入賞口に向けて誘導案内する球誘導通路に面する箇所であり、大入賞口へ向かうパチンコ球の行方に重要な役割を果たすものであるから、そのような特殊な場所に変向部を形成することの動機付けはなく、当業者にとって容易に想到できたものとすることができない。
　してみると、本件発明２は、当審で通知した取り消しの理由で引用した刊行物１乃至８に記載された発明に基づいて当業者が容易に発明できたものではない。
　したがって、本件発明２の特許は、当審で通知した取り消しの理由、及び、特許異議申立ての理由によって取り消すことはできない。
　
　なお、申立人上田実は、証拠（ａ）（甲第１号証）には、図４の可変表示部材４０ｂに段差部が形成されている記載があり、当該段差部が「変向部」に相当する旨主張しているが、可変表示部材４０ａ〜４０ｃは、段差部を含めた、障害突起４２ａ〜４２ｃ以外の箇所が遊技盤面より突出しているとは限らず、段差部に必ずしもパチンコ球が衝突するものとは認められないので、この主張は採用できない。
　また、申立人丸本功彦は、証拠（ｈ）（甲第１号証）には、可変表示部材４０ａ〜４０ｃに飾りＬＥＤ４７ａ〜４７ｃを設けた記載があり、当該飾りＬＥＤ４７ａ〜４７ｃが「変向部」に相当する旨主張しているが、可変表示部材４０ａ〜４０ｃは、飾りＬＥＤ４７ａ〜４７ｃを含めた、障害突起４２ａ〜４２ｃ以外の箇所が遊技盤面より突出しているとは限らず、飾りＬＥＤ４７ａ〜４７ｃに必ずしもパチンコ球が衝突するものとは認められないので、この主張は採用できない。
　
７．本件発明３について
７−１．特許法第２９条の２違反について
　上記５−１．（１）で摘示した事項によると、先願明細書には、
「遊技盤１２の中央と左右両側部に３つの可変表示部材４０ａ〜４０ｃが設けられると共に、その可変表示部材４０ａ〜４０ｃの下方に位置して入賞領域１９が設けられ、前記可変表示部材４０ａ〜４０ｃの図柄の組合せが特定図柄となることを条件に前記入賞領域１９を開放するパチンコ遊技機であって、
障害突起４２ａ〜４２ｃが一体に形成されている取付基板４１ａ〜４１ｃを備え、
　前記取付基板４１ａ〜４１ｃは、可変表示部材４０ａ〜４０ｃを遊技盤１２の表面に取り付け、取付基板４１ａ〜４１ｃの上部には、障害突起４２ａ〜４２ｃを突設し、
　前記障害突起４２ａ〜４２ｃによって、前記３つの可変表示部材４０ａ〜４０ｃの間に、打玉の転動方向を変化させてその打玉を前記入賞領域１９に向けて誘導案内する左右一対の打玉落下領域を設け、
　前記打玉落下領域内に風車３２ａ〜３２ｄ、また、前記打玉落下領域の上方に風車ランプ３１ａ〜３１ｄが配置されているパチンコ遊技機。」
の発明（以下、「先願発明２」という。）が記載されていると認められる。
　そこで、本件発明３と先願発明２とを対比すると、上記５−１．（２）で検討した相違点に加え、本件発明３が、「左右一対の球誘導通路の入口近傍と出口近傍との少なくとも一方には、風車が配置されている」のに対し、先願発明２は、左右一対の打玉落下領域内に風車３２ａ〜３２ｄが、打玉落下領域の上方に風車ランプ３１ａ〜３１ｄが配置されており、打玉落下領域の入口あるいは出口の近傍であるか否か明確でない点で構成が一応相違する。
　しかしながら、落下する打玉の流下速度を変化させるために風車が設けられるのであるから、風車の箇所が若干相違しても、機能において相違が認められず、上記相違点は当業者にとって設計上の微差にすぎない。
　したがって、本件発明３と先願発明２とは、発明の構成が一致し、相違点が見出せないため同一である。
　以上のとおりであるから、本件発明３は、先願明細書に記載された発明と同一であり、しかも、本件発明３の発明者が上記先願明細書に記載された発明の発明者と同一であるとも、また、本件の出願時に、その出願人が上記先願の出願人と同一であるとも認められないので、本件発明３の特許は、特許法第２９条の２第１項の規定に違反してされたものである。
　
７−２．特許法第２９条第２項違反について
　本件発明３は、本件発明１の従属発明であるので、本件発明１と相違する構成のみ検討する。
　本件発明３と刊行物１に記載の発明とを対比すると、刊行物１には、電動役物１，１’の間に遊技球が通過可能なスペースの上方には風車を設けたことが記載されており、相違点は見出せず、本件発明３で限定された構成については刊行物１に記載されているものと認められる。
　そして、本件発明３の上記相違点に係る構成に基づく作用効果は、当業者が引用発明及び引用例２に記載された発明から予測し得る範囲内のものにすぎない。
　したがって、本件発明３は、刊行物１，２に記載された発明及び周知技術に基づいて当業者が容易に発明をすることができたものであるので、本件発明３の特許は、特許法第２９条第２項の規定に違反してされたものである。
　
８．むすび
　以上のとおり、本件発明１及び３は、特許法第２９条の２及び同法第２９条第２項の規定により特許を受けることができないものであるから、本件発明１及び３についての特許は拒絶の査定をしなければならない特許出願に対してされたものと認める。
　また、本件発明２についての特許は、取り消すべき理由を発見しないので、拒絶の査定をしなければならない特許出願に対してされたものとは認めない。
　よって、特許法等の一部を改正する法律（平成６年法律第１１６号）附則第１４条の規定に基づく、特許法等の一部を改正する法律の施行に伴う経過装置を定める政令（平成７年政令第２０５号）第４条第２項の規定により、結論のとおり決定する。
【異議決定日】
平成１６年５月２７日（２００４．５．２７）
【訂正の要旨】
審決（決定）の【理由】欄参照。
（５４）【発明の名称】
パチンコ機
（５７）【特許請求の範囲】
　【請求項１】　遊技盤の中央と左右両側部に３つの図柄表示体が設けられると共に、その図柄表示体の下方に位置して大入賞口が設けられ、前記図柄表示体の図柄の組合せが当たり図柄となることを条件に前記大入賞口を開放するパチンコ機であって、
　左通路壁、中通路壁及び右通路壁と仕切り板が一体に形成されている作用部材を備え、
　前記作用部材は、前記左通路壁、中通路壁及び右通路壁が遊技盤面側に、前記仕切り板が前記遊技盤面を覆うガラス板側に配置されるように前記遊技盤に設置され、
　前記左通路壁、中通路壁及び右通路壁によって、前記３つの図柄表示体の間に、パチンコ球の転動方向を変化させてそのパチンコ球を前記犬入賞口に向けて誘導案内する左右一対の球誘導通路がそれぞれ設けられている
ことを特徴とするパチンコ機。
　【請求項２】　請求項１に記載のパチンコ機であって、
　左右一対の球誘導通路の内壁面を形成する、前記左通路壁、中通路壁及び右通路壁の外壁面の内端下部には、
　【請求項３】　
請求項１または２に記載のパチンコ機であって、
　左右一対の球誘導通路の入口近傍と出口近傍との少なくとも一方には、風車が配置されていることを特徴とするパチンコ機。
【発明の詳細な説明】
　【０００１】
　【産業上の利用分野】
　この発明はパチンコ機に関する。
　【０００２】
　【従来の技術】
　従来のパチンコ機では遊技盤面に植設された釘を例えば八形状、逆八形状に配列してパチンコ球の誘導通路を形成していた。
　【０００３】
　【発明が解決しようとする課題】
　本発明の課題はパチンコ球の転動方向を変化させる新規な手段を提供することである。
　【０００４】
　【課題を解決するための手段】
　この発明の請求項１に係るパチンコ機は、遊技盤の中央と左右両側部に３つの図柄表示体が設けられると共に、その図柄表示体の下方に位置して大入賞口が設けられ、前記図柄表示体の図柄の組合せが当たり図柄となることを条件に前記大入賞口を開放するパチンコ機であって、
　左通路壁、中通路壁及び右通路壁と仕切り板が一体に形成されている作用部材を備え、前記作用部材は、前記左通路壁、中通路壁及び右通路壁が遊技盤面側に、前記仕切り板が前記遊技盤面を覆うガラス板側に配置されるように前記遊技盤に設置され、前記左通路壁、中通路壁及び右通路壁によって、前記３つの図柄表示体の間に、パチンコ球の転動方向を変化させてそのパチンコ球を前記犬入賞口に向けて誘導案内する左右一対の球誘導通路がそれぞれ設けられている。
　また、請求項２に係るパチンコ機は、請求項１に記載のパチンコ機であって、
　左右一対の球誘導通路の内壁面を形成する、前記左通路壁、中通路壁及び右通路壁の外壁面の内端下部には、
　請求項３に係るパチンコ機は、請求項１または２に記載のパチンコ機であって、
　左右一対の球誘導通路の入口近傍と出口近傍との少なくとも一方には、風車が配置されている。
　【０００５】
　【作用】
　この発明の請求項１に係るパチンコ機において、遊技盤面を流れるパチンコ球のうち、
一部のパチンコ球は、３つの図柄表示体の間において、作用部材に形成されている左通路壁、中通路壁及び右通路壁によって設けられた左右一対の球誘導通路に流れる。
　また、請求項２に係るパチンコ機において、一対の球誘導通路に流入したパチンコ球は、
左右一対の球誘導通路の内壁面を形成する、左通路壁、中通路壁及び右通路壁の外壁面の内端下部に形成されている変向部に当たることによって、その転動方向が変化する。
　また、請求項３に係るパチンコ機において、
　【０００６】
　【発明の効果】
　この発明によれば、パチンコ球の転動方向を変化させる機能をもたせてパチンコ球を大入賞口に誘導することができ、図柄表示体の取付けスペースが拡大しても、パチンコ球の転動方向を変化させる機能が低下することがない。
　【０００７】
　【実施例】
　本発明は遊技盤に装着された入賞装置、図柄表示装置、球受装置、表示装置等のパチンコ球用各種装置の何れにも適用することができるものであるが、以下本発明が図柄表示装置の覆い部について具体化された１実施例を図面にしたがって説明する。
　パチンコ機の遊技盤１の下端部には開閉制御可能な大入賞口２ａと、左右１対の始動口２ｂとを有する入賞装置２が装着され、遊技盤１の中央部には入賞装置２の大入賞口２ａの開放条件を規定する大型で横長状の図柄表示装置３が遊技盤面１ａの有効幅のほぼ全長にわたって装着されている。
　【０００８】
　図柄表示装置３において、遊技盤面１ａにビス着されたベース板４の板部４ａには等間隔で横１列に配列された３つのほぼ長方形孔状の窓部５が開設され、この各窓部５の両側縁の上下方向中央部付近には左右１対の切欠部５ａがそれぞれ凹設されている。
　【０００９】
　ベース４の板部４ａの下部には左側の窓部５と中央の窓部５との中間、および、中央の窓部５と右側の窓部５との中間に配設された左右１対のほぼ半円形状の下切欠き部６が凹設され、この両下切欠き部６の前側には遊技盤１に遊転可能に軸支された風車７がそれぞれ設置されている。
　【００１０】
　ベース板４の各窓部５の開口縁の上部には後方へ突出されて横一列に配列された３つの上窓枠片８の前端縁がそれぞれ整合状態で連接され、各窓部５の開口縁の下部には後方へ突出されて横１列に配列され、各上窓枠片８の下方に向い合わせ状に設置された３つの下窓枠片９の前端縁がそれぞれ整合状態で連接されている。
　【００１１】
　中央の上窓枠片８の上面にはそれぞれ前後方向に沿って穿孔されて横１列に配列された４つのＬＥＤ孔１０ａを有する方形台状の突部１０が連接されている。
　【００１２】
　ベース板４の板部４ａの後面の上下部にはそれぞれ後方へ並行状に延出されて各上窓枠片８の両側および各下窓枠片９の両側にそれぞれ隣設され、上下２対を１組とする３組の丸棒状の取付け片１１が連接されている。
　【００１３】
　ベース板４の板部４ａの左部、中央部および右部には半透明合成樹脂材で形成されて各組の取付け片１１の後端にビス４１で結合されたレンズ板１２がそれぞれ取付けられている。
　【００１４】
　各レンズ板１２には上下窓枠片８，９間に設置されて正面形状が方形状で縦断面形状が上下方向へ凸円弧状に湾曲した透光部１２ａと、この透光部１２ａの周縁に連接された方形枠状の枠部１２ｂとがそれぞれ形成されるとともに、枠部１２ｂの上側の両コーナ部には左右対称なＬ形状に曲折されて後方へ突出された左右１対の拘持片１２ｃが連接され、枠部１２ｂの下端には左右端部が左右対称なＬ形状に曲折されて後方へ突出された下拘持片１２ｄが連接され、両拘持片１２ｃの外側面および下拘持片１２ｄの左右端部の外側面には取付け片１１にビス着された結合片１２ｅがそれぞれ連接されている。
　【００１５】
　各レンズ板１２の両側には半透明合成樹脂材で横断面形状がほぼＬ形状に形成されて窓部５の切欠き部５ａ内に密嵌状に嵌め込まれた前片１３ａと、上下窓枠片８，９の端部間に密接状に挟み込まれた側片１３ｂとを有し、レンズ板１２とともに取付け片１１の後端にビス４１で結合された左右各１対の側レンズ板１３がそれぞれ隣設されている。
　【００１６】
　透明合成樹脂材で形成されてベース板４の前面にビス４３で結合され、遊技盤面１ａに設置されてパチンコ球を誘導する球誘導機能を有するカバー板（作用部材）１５にはベース板４の前方に１個のパチンコ球の通過が可能な間隙を隔てて設置されてガラス板Ｇの後側に隣接して垂立された仕切り板１６と、ベース板４の各窓部５の斜め前上方にそれぞれ各窓部５を覆った状態で設置されて横１列に配列され、外壁面の上部がそれぞれ円弧状に湾曲された左通路壁１７Ａ、中通路壁１７Ｂ、右通路壁１７Ｃとが形成され、仕切り板１６にはベース４の各窓部５の上部前方にそれぞれ隣設された３つの凹陥部１６ａが凹設されている。
　【００１７】
　左通路壁１７Ａと発射レール１４の左端部との間、および、右通路壁１７Ｃと発射レール１４の右端部との間にはパチンコ球の転落通路１８がそれぞれ形成され、左通路壁１７Ａと中通路壁１７Ｂとの間、および、中通路壁１７Ｂと右通路壁１７Ｃとの間には上方から下方へのパチンコ球の通り抜けが可能でパチンコ球を入賞装置２の大入賞口２ａの方向へ誘導する左右１対の球誘導通路１９がそれぞれ形成され、両球誘導通路１９の左右路壁面はほぼ逆八形状に対置されている。
　【００１８】
　各通路壁１７Ａ，１７Ｂ，１７Ｃの内壁面には左右１対の垂直面１７ａと、この両垂直面１７ａの上端縁に連接されて上内方へ延出された左右１対の斜面１７ｂと、この両斜面１７ｂの内端に連接された水平面１７Ｃとがそれぞれ形成されている。
　【００１９】
　カバー板１５の左通路壁１７Ａの外壁面の内端下部には上外方から下内方へ傾斜した斜面２１Ａが形成され、この斜面２１Ａにはそれぞれ半円形状の断面形状を有し、前後方向へそれぞれ水平状に延長されてパチンコ球の外径より若干小さい間隔で斜め方向へ１列に配列された４個の第１障害片２２Ａが突出形成され、左通路壁１７の内端下部には球誘導通路１９を通り抜ける途中で衝突したパチンコ球はね返り方向を変化させる第１変向部２０Ａが１列の第１障害片２２Ａによって形成されている。
　【００２０】
　カバー板１５の中通路壁１７Ｂの外壁面の左端下部および右端下部にはそれぞれ上外方から下内方へ傾斜して逆八形状に対置された斜面２１Ｂ，２１Ｃがそれぞれ形成され、この両斜面２１Ｂ，２１Ｃにはそれぞれ先端が尖鋭となるような正三角形状の断面形状を有し、前後方向へそれぞれ水平状に延長されてパチンコ球の外径より小さい間隔で斜め方向へ１列にそれぞれ配列された各３個の第２障害片２２Ｂおよび第３障害片２２Ｃがそれぞれ外方へ突出形成され、中通路壁１７Ｂの左端下部および右端下部には球誘導路１９を通り抜ける途中で衝突したパチンコ球のはね返り方向を変化させる第２変向部２０Ｂおよび第３変向部２０Ｃがそれぞれ１列の第２障害片２２Ｂおよび１列の第３障害片２２Ｃによって形成されている。
　【００２１】
　カバー板１５の右通路壁１７Ｃの外壁面の内端下部には上外方から下内方へ傾斜した斜面２１Ｄが形成され、この斜面２１Ｄには第１障害片１９Ａと等しい形状を有し、第１障害片１９Ａと同様な状態で１列に配列された４個の第４障害片２２Ｄが突出形成され、右通路壁１７Ｃの内端下部には球誘導道路１９を通り抜ける途中で衝突したパチンコ球のはね返り方向を変化させる第４変向部２０Ｄが１列の第４障害片２２Ｄによって形成されている。
　【００２２】
　左側の誘導通路１９の出口部を形成する第１変向部２０Ａの各第１障害片２２Ａおよび第２変向部２０Ｂの各第２障害片２２Ｂはパチンコ球の外径の２倍の長さより若干狭い間隙を隔てて内傾状態でほぼ並行状に配列され、右側の球誘導通路１９の出口部を形成する第３障害部２０Ｃの各第３障害片２２Ｃおよび第４変向部２０Ｄの各第４障害片２２Ｄは左側の球誘導通路１９の出口部と同様な間隙を隔てて内傾状態でほぼ並行状に配列されている。
　【００２３】
　各障害片２２Ａ〜２２Ｄにその上方から転落して衝突したパチンコ球はほぼ斜め上方へはね返される。
　【００２４】
　左右通路壁１７Ａ，１７Ｃの上端には後方開放のＬＥＤ挿入部１７ｄがそれぞれ凹設され、中通路壁１７Ｂの上端にはベース板４の突部１０のＬＥＤ孔１０ａの前方にそれぞれ突合わせ状に対置された４つの後方開放の投光孔１７ｅが凹設され、仕切り板１６の前面中央部の上端には各ＬＥＤ挿入孔１７ｅの前側の各位置に１，２，３，４の番号がそれぞれ表示された装飾シール２３が貼着されている。
　【００２５】
　ベース板４の板部４ａと仕切り板１６との間隙内の上端で、左右の球誘導通路１９の上端の左右方向中央部にはベース板４の板部４ａと、仕切り板１６との間に横架された支軸２５によって回転可能に軸支されて複数個の羽根２４ａを有する風車体２４がそれぞれ設置されている。
　【００２６】
　図柄表示装置３の基板収納枠２８は遊技盤１の裏面１ｂにベース板４に対向して取付けられ、この基板収納枠２８の上枠部２８ａの左右端部および下枠部２８ｂの左右端部にそれぞれ突出形成された４つの突片２８ｃには遊技盤１の裏面１ｂにビス４４によって結合された結合部２９が形成されるとともに、各突片２８ｃの内端には後方へ突出された上下２対の角棒状の支持片３０がそれぞれ連接され、各支持片３０の後端には垂直状の取付け面３０ａと、正面形状がＬ形状で取付け面３０ａの上縁若しくは下縁と外側縁にそれぞれ連接された拘持片３０ｂとがそれぞれ形成されている。
　【００２７】
　基板収納枠２８内にはその枠内に密嵌状に嵌め込まれて基板収納枠２８にビス４７によって結合され、中継回路が印刷された前中継基板３１が垂立状態で収納されている。
　【００２８】
　前中継板３１の前面には等間隔で横１列に配列されて各レンズ板１２の透光部１２ａの後側にそれぞれ垂立され、各透光部１２ａをその後方から照射する３個の大型の図柄表示体３２が設置され、本例では各図柄表示体３２は１６×２４個のドット素子を有するドットＬＥＤによって形成されている。カバー板１５の左右誘導通路１９および各変向部２０Ａ〜２０Ｄは各図柄表示体３２の正面位置を避けた状態で形成されている。
　【００２９】
　各図柄表示体３２は遊技盤面１ａに打出されたパチンコ球が入賞装置２の左右始動口２ｂに入賞したときに左図柄、中図柄、右図柄の変動表示を開始し、所定時間経過後左図柄、中図柄、右図柄の順に図柄の変動表示を停止する。各図柄表示体３２が図柄の変動表示を停止して特定した左図柄、中図柄、右図柄の組合わせが当り図柄と判定された場合には入賞装置２の大入賞口２ａが所定時間開放され、図柄の組合わせが外れ図柄と判定された場合には大入賞口２ａは開放されない。
　【００３０】
　前中継基板３１の前面には各図柄表示体３２の両側にそれぞれ５個づつ縦１列に配列されて各対の側レンズ板１３内に装入され、１０個（５個×２列）で１組となった３組の装飾ＬＥＤ３３が設置され、各側レンズ板１３の前片１３ａおよび側片１３ｂはそれぞれ５個の装飾ＬＥＤ３３によって照射される。
　【００３１】
　前中継基板３１の前面上端の左右方向中央部には中央の図柄表示体３２の上側に横１列に配列された４個の表示ＬＥＤ３４が設置され、この各表示ＬＥＤ３４の発光部はベース４の突部１０の各ＬＥＤ孔１０ａ内にそれぞれ挿入されてカバー板１５の各投光孔１７ｅにそれぞれ対置されている。
　【００３２】
　前中継基板３１の後面にはその中継回路に接続された多数個の接続端子を有する３つの前結合コネクタ３５が取付けられ、３つの前結合コネクタ３５のうちの２つの前結合コネクタ３５は前中継基板３１の左右部に垂直状に設置され、１つの前結合コネクタ３５は前中継基板３１の下端中央部に水平状に設置されている。
　【００３３】
　前中継基板３１の後方には基板収納枠２８に垂立状態で結合されて中継回路が印刷された後中継基板３６が設置され、この後中継基板３６はその４つのコーナ部が基板収納枠２８の各支持片３０の取付け面３０ａにビス４６によって止着されて拘持片３０ｂによって拘持された状態で各支持片３０の後端に結合されている。
　【００３４】
　後中継基板３６の前面にはその中継回路に接続された多数の接続端子を有し、各前結合コネクタ３５に解離可能に結合された３つの後結合コネクタ３７が取付けられている。
　【００３５】
　後中継基板３６の後面にはその中継回路と、図柄表示装置外の配線とを解離可能に接続する集合コネクタ３８が取付けられている。
　【００３６】
　続いて、上記した構成をもつ実施例の作用と効果を説明する。
　遊技盤１に装着された大型の図柄表示装置３の前端には左右１対の球誘導通路１９と、第１〜第４変向部２０Ａ〜２０Ｄとが３個の図柄表示体３２の正面位置を避けて形成されたカバー板１５を設置し、遊技盤面１ａに沿って転動するパチンコ球を両球誘導通路１９によって大入賞口２ａの方向へ誘導し、球誘導通路１９を通り抜ける途中で衝突したパチンコ球のはね返り方向を第１〜第４変向部２０Ａ，２０Ｂ，２０Ｃ，２０Ｄの第１〜第４障害片２２Ａ〜２２Ｄによって変化させるように構成してある。
　【００３７】
　このため、パチンコ球を誘導する球誘導機能と、パチンコ球のはね返り態様を変化させる釘列の機能とを図柄表示装置３に付加することができ、図柄表示装置３が大型となって遊技盤面１ａ中に図柄表示装置３が占めるスペースが大きくなり、釘列を植設するスペースが相対的に少なくなっても、パチンコ球を誘導する球誘導通路１９と、パチンコ球のはね返り方向を変化させる変向部２０Ａ〜２０Ｄとを図柄表示装置３の取付けスペース内に確保することができる。
　【００３８】
　また、パチンコ球が平坦なプラスチック面に衝突すると、そのパチンコ球は衝突点への進入角度に対して対称なはね返り角度で減速されずにはね返るが、パチンコ球が球誘導通路１９を通り抜ける途中で変向部２０Ａ〜２０Ｄの障害片２２Ａ〜２２Ｄにその上方から衝突すると、パチンコ球が斜め上方へはね返って再び他の障害片に衝突し、また、パチンコ球のはね返り強さが弱められるので、球誘導通路１９を通り抜けるパチンコ球の転落速度を遅くして遊技盤面１ａでのパチンコ球の停留時間を長くすることができる。
　【００３９】
　なお、図１１に示すように、風車体２４を、カバー板１５の仕切り板１６に片持状に挿着されてガラス板Ｇ側から遊技盤１側へ延出され、ベース板４とは分離された支軸２５Ａによって遊転可能に支持するようにしてもよい。このように構成すると、風車体２４がスペース的に若しくは材質上遊技盤１側に取付けることができない場合でも、風車体２４を球誘導通路１９内に設置してパチンコ球の転動方向を調整することができる。
【図面の簡単な説明】
　【図１】
　本発明の１実施例を示す遊技盤の正面図である。
　【図２】
　図柄表示装置の正面図である。
　【図３】
　図柄表示装置の分解斜視図である。
　【図４】
　図２のＸ１−Ｘ１線拡大断面図である。
　【図５】
　図２のＸ２−Ｘ２線拡大断面図である。
　【図６】
　図２のＸ３−Ｘ３線拡大断面図である。
　【図７】
　カバー板の斜視図である。
　【図８】
　ベース板の斜視図である。
　【図９】
　基板収納枠および中継基板の分解斜視図である。
　【図１０】
　変向部におけるパチンコ球のはね返り態様を説明するカバー板の要部の背面図である。
　【図１１】
　風車の取付け態様の他例を示す要部の縦断面図である。
　【符号の説明】
　　１　遊技盤
　　３　図柄表示装置
　１５　カバー板（作用部材）
　１９　球誘導通路
　２０Ａ，２０Ｂ，２０Ｃ，２０Ｄ　変向部
　２２Ａ，２２Ｂ，２２Ｃ，２２Ｄ　障害片
　３２　図柄表示体